(57)【特許請求の範囲】
【請求項１】
下記の各構成を有することを特徴とするコネクタ。
（イ）ワイヤ状のコンタクト導体の先端に、そのコンタクト導体の後方から先端方向を見た断面の外周からはみ出す外周の先端導体を有する第１のコンタクト
（ロ）１又は複数の第１のコンタクトを整列保持する第１のインシュレータ
（ハ）弾性を有する板状導体であって、前記コンタクト導体の径は入るが先端導体の径は入らないという幅の切り込みを有し、この切り込みにコンタクト導体が入った状態でコンタクト導体に後方へ引く力がかかることにより先端導体が切り込みに引っ掛かり弾性接触することとなる第２のコンタクト
（ニ）１又は複数の第２のコンタクトを整列保持する第２のインシュレータ
（ホ）前記コンタクト導体に対し、このコンタクト導体を後方へ引く力を与えるコンタクト導体張力付与部
【請求項２】
第１のインシュレータが、第１のコンタクトを前進・後退のスライドが可能なように保持し、後退させたときにその状態を保持させる係止機構を有する請求項１記載のコネクタ。
【請求項３】
第１のコンタクトが、そのコンタクト導体がワイヤーであり、先端導体が半田ボールである請求項１又は請求項２記載のコネクタ。
【発明の詳細な説明】
【０００１】
【発明の属する技術分野】
本発明はケーブルコネクタの技術分野に属する。
【０００２】
【従来の技術】
従来、ケーブルの先端に取り付けられるケーブルコネクタは、そのコンタクトがソケットコンタクトとなっており、相手方コネクタのピンコンタクトが前記ソケットコンタクトへ挿入されることにより、電気的接触を得ている。
【０００３】
ケーブルコネクタのコンタクトとケーブルとの接続は、コンタクトの後方部分が、ケーブルを被覆ごと握持保持する圧着部分と、被覆を剥いだ芯線をコンタクトに圧接する部分とからなっている。
コネクタ及びケーブルが多芯である場合には、コネクタハウジング内で各コンタクトおよびそれに接続されたケーブルが整列することになる。
【０００４】
【発明が解決しようとする課題】
しかしながら、上記多芯コネクタの場合、各コンタクトと各ケーブルとの圧着、圧接に際し、各芯線を各コンタクトに対し位置決めするのであるが、ケーブル自体が剛直なものではないため、総べてが完全に同じ位置、同じ向きになるとは限らず、その状態で圧着、圧接すると、隣接ケーブル間間隔にばらつきが生じたり、或いはケーブル同士が並行でない部分が生じたりする。
【０００５】
その結果、ケーブル間の相互インピーダンスにばらつきを生じ、ケーブル間のクロストークが規定値を越える部分が生ずるという問題がある。
また、ケーブルが同軸ケーブルである場合には、被覆ごと圧着する部分において、中心導体に対する外部導体の形状は、同心円からは変形するのであるが、コンタクトに対するケーブルの位置決めにばらつきがあると変形の仕方にばらつきを生じ、当然の結果として特性インピーダンスにばらつきを生じてしまうという問題がある。
【０００６】
その他、相手方コンタクトとの接触は、ピンコンタクトをソケットコンタクトへ挿入することによって行われているから、ピンコンタクトがソケットコンタクトに接してから行き止まりになるまで押し込むため、必然的に両者の摺動摩擦があり、それにより金属粉を生じるという問題がある。
【０００７】
また、嵌合最適位置が行き止まりの手前にあったとしても、確実な嵌合を得ようとする心理から行き止まり迄押し込むという、無駄な摺動摩擦が行われ易いという問題がある。
【０００８】
本発明の目的は、上記従来技術の問題点に鑑みて、従来のようなコンタクトとケーブルの圧着、圧接を行わなくて済み、且つ、相手方コンタクトとの間で殆ど摺動摩擦を生じない接触方式を採用したケーブルコネクタを提供することにある。
【０００９】
【課題を解決するための手段】
上記の目的を達成するために、本発明のケーブルコネクタの第１の構成（基本構成）は、次の各手段を有することを特徴とする。
（イ）ワイヤ状のコンタクト導体の先端に、そのコンタクト導体の後方から先端方向を見た断面の外周からはみ出す外周の先端導体を有する第１のコンタクト
（ロ）１又は複数の第１のコンタクトを整列保持する第１のインシュレータ
（ハ）弾性を有する板状導体であって、前記コンタクト導体の径は入るが先端導体の径は入らないという幅の切り込みを有し、この切り込みにコンタクト導体が入った状態でコンタクト導体に後方へ引く力がかかることにより先端導体が切り込みに引っ掛かり弾性接触することとなる第２のコンタクト
（ニ）１又は複数の第２のコンタクトを整列保持する第２のインシュレータ
（ホ）前記コンタクト導体に対し、このコンタクト導体を後方へ引く力を与えるコンタクト導体張力付与部
【００１０】
第２の構成は、前記第１の構成において、第１のインシュレータが、第１のコンタクトを前進・後退のスライドが可能なように保持し、後退させたときにその状態を保持させる係止機構を有するコネクタである。
【００１１】
第３の構成は、前記第１の構成又は第２の構成において、第１のコンタクトが、そのコンタクト導体がワイヤーであり、先端導体が半田ボールであるコネクタである。
【００１２】
【発明の実施の形態】
本発明のコネクタは、前記課題解決手段で述べた第１の構成において、構成（イ）および構成（ロ）でケーブル側のコネクタを構成し、構成（ハ）および構成（ニ）で、相手コネクタを構成している。
本発明の実施の形態としては、相手コネクタは装置・機器等に固定された固定型コネクタであってもよいし、ケーブルの先端に取り付けたケーブルコネクタであってもよい。
【００１３】
本発明のコネクタは、ケーブル側コネクタのコンタクト（第１のコンタクト）のコンタクト導体を相手コネクタのコンタクト（第２のコンタクト）の切り込み内に持って行きコンタクト導体をその長手方向に引くと先端に付いている先端導体の外周が切り込みの幅より大なるため切り込みの所で引っ掛かり、第２のコンタクトは板状導体で弾性を有するものであるから、第１のコンタクトの先端導体と第２のコンタクトの間に弾性接触が得られることになる。
【００１４】
このように第１のコンタクトと第２のコンタクトの接触が、先端導体と第２のコンタクトが接した後、両者間の接触圧力が、第１のコンタクトを引く力の分だけ増加するだけで、第２のコンタクトと先端導体との間では摺動摩擦は殆ど生じない。
従って、摺動摩擦に起因する摩耗や金属削粉の発生という問題も生じない。
【００１５】
また、ケーブル側コネクタのコンタクト導体の形状は、特に限定はされず、ワイヤー状のものであってもよく、その場合、ケーブルの芯線をそのままコンタクト導体とすることが可能であり、そうすると、従来のケーブルコネクタのような、コンタクトにケーブル芯線を圧着、圧接するという必要がなくなり、その作業工程が不要になるとともに、圧着、圧接に伴う、芯線間の間隔の不揃い、芯線の向きの不揃いに起因するインピーダンスの不揃いやクロストークのような従来技術における問題がなくなる。
【００１６】
【実施例】
以下、本発明の実施例を図面を参照して説明する。
図１は、本発明コネクタの嵌合状態を示す一部斜視図である。
コンタクト導体５が、第１のインシュレータ２のガイド溝９から下方に懸垂し、その先端に例えば半田ボールのような先端導体６が付いている。そして、コンタクト導体５の垂下部分が、第２のインシュレータ４に固定された第２のコンタクト３の切り込み７に入った状態で、コンタクト導体５が上方へ一定の力で引っ張られている。
先端導体６の径は切り込み７の幅より大きいから、切り込み７に引っ掛かる。
【００１７】
第２のコンタクト３は、弾性を有する板状導体であるので、コンタクト導体５の上方へ引っ張る力によって、上方へ反るような形となって先端導体６との電気接触が得られることになる。
本実施例におけるコンタクト導体５は、図３に示すように、ケーブル１１の被覆を除去した導体である。
図１においては、このケーブル１１の部分は省略されている。
【００１８】
図２は、接触部分の嵌合前の状況を示す図である。
嵌合前においては、垂下しているコンタクト導体５は、第１のインシュレータ２に、左右方向にスライド可能に設けられているガイドプレート８の切り込みによって、位置決めされ、確実に第２のコンタクト３の切り込み７に入るようにされている。
【００１９】
従って、ガイドプレート８の横方向位置は、その切り込み位置が第２のコンタクト３の切り込み７に丁度向い合うように、また、上下方向位置は、第２のコンタクト３とこすり合う位の接近した位置に設けられている。
【００２０】
ガイドプレート８は、第１のコンタクト１と第２のコンタクト３が嵌合した後は、第１のインシュレータ２内で引っ込むようになっている。図１では、嵌合状態であるので、ガイドプレート８は右方に引かれ、第１のインシュレータ２内に納まっている状態が示されている。
【００２１】
図４は、６芯の場合の本発明コネクタの斜視図である。
第２のインシュレータ４には、切り込み７を有するとともに端子１０と一体をなす、第２のコンタクト３が６個埋め込み保持されている。
第１のインシュレータ２には、その傾斜部分頂部にガイド溝９が６個設けられ、コンタクト導体５がそれぞれ懸けられている。
【００２２】
傾斜部分の右方にはケーブル１１を上下から挟み込んだケーブルホルダー１２が置かれ、このケーブルホルダー１２からコンタクト導体５が出ている。そして、このケーブルホルダー１２を上から押さえるようにホルダー押さえ１３が設けられている。ホルダー押さえ１３は、両サイドの押さえロック１７により、第１のインシュレータ２に固定されるようになっている。
【００２３】
ケーブルホルダー１２の構造は、図５のようになっている。即ち、ケーブルホルダー上側１２ａとケーブルホルダー下側１２ｂとからなっており、それぞれにケーブル１１の被覆ごとの直径の断面半円のケーブル溝１８と被覆を剥いだケーブル導体５のみの直径の断面半円の導体溝１９が軸を一致させて設けられ、ケーブルホルダー下側１２ｂに図示のように、ケーブル１１およびコンタクト導体５を嵌め込み、上からケーブルホルダー上側１２ａをかぶせる。
【００２４】
結局、ケーブル溝１８と導体溝１９の境目に段差があるから、ケーブルホルダーを後方（図５で右斜上方）へ引くと、その引く力はコンタクト導体５にかかることになる。
【００２５】
このようにして、ケーブル１１およびコンタクト導体５を６本挟持したケーブルホルダー１２が第１のインシュレータ２の上に置かれ、コンタクト導体５はガイド溝９に懸け、その状態でホルダー押さえ１３がケーブルホルダー１２を押さえるようになっている。
【００２６】
そして、ホルダー押さえ１３の下面には、図６に示すように、係止フィン１５がケーブルホルダー上側１２ａの上面を押し付けるような弾力性をもって設けられ、更に、この係止フィン１５には係止孔１６が設けられている。
一方、ケーブルホルダー上側１２ａの上面には、左上りの傾斜部分と垂直部分とからなる係止立ち上り１４が設けられている。
【００２７】
このような構造を有することによって、ケーブルホルダー１２を右方へ引いて行くと、係止フィン１５の先端は次第に押し上げられ、係止立ち上り１４が係止孔１６まで来ると係止立ち上り１４が係止孔１６に嵌まる形で係止フィン１５の先端が下るので、係止立ち上り１４が係止孔１６に引っ掛かり、ケーブルホルダー１２を右方へ引く力を放してもケーブルホルダー１２は左方へ戻らないように係止されることになる。
【００２８】
以上のような構造になっているから、図４の左右のコネクタを、図１のように嵌合させて、ケーブルホルダー１２を右方へ、係止するところまで引くと、コンタクト導体５の垂下部分が上へ引き上げられ、先端導体６と第２のコンタクト３とが弾性接触することとなる。
【００２９】
この接触は、従来のようにピンコンタクトをソケットコンタクトに挿入する場合のような摺動摩擦を殆ど生じない。
本実施例では、コンタクト導体に張力を掛ける手段として、ケーブルホルダー１２をスライドさせる構成となっているが、これに限定されるものではない。
【００３０】
【発明の効果】
本発明のコネクタは、ケーブルの導体自体をコンタクト導体とすることができるので、従来のようにケーブルやその導体とコンタクトを接続するための圧着や圧接が不要であり、ケーブルの整列を揃えることができるので、圧着、圧接に起因するケーブル間間隔のばらつきや向きの不揃いによってインピーダンスにばらつきを生じたり、クロストークを生じたりするという問題が除去されるという利点がある。
【００３１】
また、相手コンタクトとの接触は弾性圧接であるので、従来のようなピンコンタクトとをソケットコンタクトへ挿入するときのような摺動摩擦がないので、コンタクトの摩耗や、摩耗に伴う金属粉の発生という問題が全くなくなるという利点がある。
【図面の簡単な説明】
【図１】本発明コネクタの嵌合状態を示す一部斜視図である。
【図２】本発明コネクタの、接触部分の嵌合前の状況を示す部分斜視図である。
【図３】ケーブルの導体をコンタクト導体としていることを説明する斜視図である。
【図４】本発明コネクタ実施例で、６芯の場合の斜視図である。
【図５】本発明コネクタにおけるケーブルホルダーの構造説明斜視図である。
【図６】本発明コネクタにおけるケーブルホルダー係止機構説明断面図である。
【符号の説明】
１  第１のコンタクト
２  第１のインシュレータ
３  第２のコンタクト
４  第２のインシュレータ
５  コンタクト導体（ケーブル導体）
６  先端導体
７  切り込み
８  ガイドプレート
９  ガイド溝
１０  端子
１１  ケーブル
１２  ケーブルホルダー
１２ａ  ケーブルホルダー上側
１２ｂ  ケーブルホルダー下側
１３  ホルダー押さえ
１４  係止立ち上り
１５  係止フィン
１６  係止孔
１７  押さえロック
１８  ケーブル溝
１９  導体溝
【図１】
0003680166.tif 000002
【図２】
0003680166.tif 000003
【図３】
0003680166.tif 000004
【図４】
0003680166.tif 000005
【図５】
0003680166.tif 000006
【図６】
0003680166.tif 000007